(57)【特許請求の範囲】
【請求項１】
使用者の額と、両頬と、顎と、を押さえるまくらであって、
額を押さえる額乗せ部と、頬を押さえる頬乗せ部と、顎を押さえる顎乗せ部と、を備え、
前記額乗せ部と、前記頬乗せ部と、は、略円柱形の外形を有しており、
前記頬乗せ部は、前記額乗せ部の下方に２個、左右方向に並設してあって、
前記顎乗せ部は、前記頬乗せ部の下方に位置し、左右方向に延伸した略直方体形の外形を有しており、
前記額乗せ部と、前記頬乗せ部と、前記顎乗せ部と、が、平板状のまくら台の上面に載置されており、
前記額乗せ部は、前記まくら台に蝶番で固定されていることを特徴とするうつ伏せ用まくら。
【発明の詳細な説明】
【技術分野】
【０００１】
本発明は、うつ伏せ用健康まくらに関する。
【背景技術】
【０００２】
顔や腹部を下にして寝る姿勢、いわゆるうつ伏せ寝は、顔をまくらに押し付けるため就寝中の呼吸が苦しくなる虞があった。これを解消するために、首を回して顔の側面をまくらに押し付ける姿勢を取ることもあるが、顔の側面に力が加わることから顎関節の歪みを招き、顎の可動に異常が出てしまう虞もあった。
そこで、出願人は文献１のような首を回さずともうつ伏せ寝ができ、且つ、呼吸も苦しくないうつ伏せ用のまくらを提供している。
【先行技術文献】
【特許文献】
【０００３】
【特許文献１】実用新案登録第３２２１１８４号
【発明の概要】
【発明が解決しようとする課題】
【０００４】
しかしながら、文献１のようなまくらでは、眼鏡を装着したまま使用した際に額を載せるまくら部分と眼鏡とが接触してしまい、このまくらを使用してうつ伏せの姿勢を取ろうとする際は、必ず眼鏡を外さなくてはならなかった。
【０００５】
そこで本発明は上記事情に鑑み、眼鏡を装着していてもうつ伏せの姿勢を取ることが簡単なうつ伏せ用まくらを提供することを目的としている。
【課題を解決するための手段】
【０００６】
使用者の額と、両頬と、顎と、を押さえるまくらであって、額を押さえる額乗せ部と、頬を押さえる頬乗せ部と、顎を押さえる顎乗せ部とを備え、前記額乗せ部と、前記頬乗せ部と、は、略円柱形の外形を有しており、前記頬乗せ部は、前記額乗せ部の下方に２個、左右方向に並設してあって、前記顎乗せ部は、前記頬乗せ部の下方に位置し、左右方向に延伸した略直方体形の外形を有しており、前記額乗せ部と、前記頬乗せ部と、前記顎乗せ部と、が、平板状のまくら台の上面に載置されており、前記額乗せ部は、前記まくら台に蝶番で固定されていることを特徴とする。
【発明の効果】
【０００７】
本発明によれば、使用者の額及び両頬の３点が押さえられることによって心地よい圧迫感をこの３点に感じることができ、良質な睡眠を得ることができる。また、顎乗せ部にて使用者の下顎部も支持することによって、睡眠時に口が開いてしまうのを防ぐこともできる。加えて、使用者の顔面を支持するのは額、両頬、下顎（特におとがい周辺）であり、眼窩周辺部にはまくらを構成する部材が接触することがないため、使用者が眼鏡をかけたままでも使用することができる。
【図面の簡単な説明】
【０００８】
【図１】本発明のうつ伏せ用まくらの第一実施例において、全体を示した斜視図である。
【図２】本発明のうつ伏せ用まくらの第一実施例において、うつ伏せ用まくらの背面を示した背面図である。
【図３】本発明のうつ伏せ用まくらの第一実施例における使用例を示した説明図である。
【図４】本発明のうつ伏せ用まくらの第二実施例において、全体を示した斜視図である。
【図５】本発明のうつ伏せ用まくらの第二実施例における使用例を示した説明図である。
【図６】本発明のうつ伏せ用まくらのうち、額乗せ部及び頬乗せ部の内部を示した概略図である。
【図７】本発明のうつ伏せ用まくらのうち、第一実施例の顎乗せ部の内部を示した概略図である。
【図８】本発明のうつ伏せ用まくらのうち、第二実施例の頬乗せ体の内部を示した概略図である。
【発明を実施するための形態】
【０００９】
以下より、本発明のうつ伏せ用まくら１の実施の形態ついて詳説する。
本発明のうつ伏せ用まくら１は、額を載せる部材と、両頬にあてがう部材とを備えたまくらである。まず、図１に示す第一実施例について説明する。なお、以下に記載の上下左右とは、図１に示すとおりである。
第一実施例は、図１に示すように略円柱形の額乗せ部２０と、頬乗せ部３０、３０及び略直方体形の顎乗せ部４０とが、平板状のまくら台１０に載置されている。このうち、まくら台１０は、図２に示すようなホームベース状の略五角形の平板であり、前記額乗せ部２０や頬乗せ部３０を上面の所定の位置にボルト７０及びナット８０で固定できるように、図示しない固定用貫通孔が設けてある。
各まくらの設置位置は図１に示すとおりであり、額乗せ部２０はまくら台１０の最上部に、頬乗せ部３０、３０は額乗せ部２０の下方、左右方向に２個、間を空けて並設しており、該頬乗せ部３０、３０のさらに下方には顎乗せ部４０が位置している。
前記頬乗せ部３０は、図６（ａ）及び（ｂ）に示すように、略円柱形の緩衝材９０と、その下方に位置する略円盤状の調整板２１と、さらにその下方に位置する略円盤状の押さえ板２２とを有している。このうち調整板２１と押さえ板２２は、中心部に貫通孔２３をそれぞれ備えており、該貫通孔２３にボルト７０が挿入することで一体的に構成される。組み立て方としては、最初に調整板２１の貫通孔２３にボルト７０を挿入し、その上に緩衝材９０を載せる。その後、カバー６０を上から被せて端部を調整板２１の下面側に寄せ、それを押さえるように押さえ板２２を取り付け、最後にまくら台１０に設けられた固定用貫通孔へとボルト７０のネジ先を挿入し、まくら台１０の裏面にてナット８０および座金８１を取り付けて固定する。
前記額乗せ部２０は、上述の頬乗せ部３０と同様の構成を有しているものの、押さえ板２２に蝶番２５の片羽根がネジ止めされている。額乗せ部２０に固定されていない片羽根は、蝶番２５の芯棒が左右に向くようにしてまくら台１０にネジ止めして固定することにより、左右方向を軸として額乗せ部２０が回動することが可能となる。また、額乗せ部２０の押さえ板２２には、まくら台１０との間に挟入するようにクッション２４が設けられており、このクッション２４の厚みによって蝶番２５を軸に、額乗せ部２０全体が下方向に傾斜している。
カバー６０は、調整板２１と押さえ板２２の間に挟扼され、且つ、ボルト７０とナット８０によって固定されてずれ難くなっているが、カバー６０の内部に収納される調整板２１の側面に面ファスナーのフック面を貼り付けることによって、カバー６０の繊維が面ファスナーのフック面に引っ掛かり、カバー６０を内側からずれ難くすることができる。加えて、カバー６０を強めに引っ張ることで、内部の緩衝材９０が圧縮され額乗せ部２０及び頬乗せ部３０の高さと、緩衝材９０の硬さも自由に変えることができる。
【００１０】
顎乗せ部４０は、図７に示すように、その内部に略四角錘台形の支持部材４１、４１が左右方向に対向して位置しており、その上に支持部材４１、４１同士の間隙を埋める形状を有した緩衝材９０を載置し、さらにその上からカバー６０を被せて全体を覆う。
この時、対向する支持部材４１、４１はまくら台１０にボルト７０とナット８０にて固定されているが、まくら台１０に設けられている図示しない固定用貫通孔が前記頬乗せ部や額乗せ部のものと異なり、顎乗せ部４０の長手方向に延びるような楕円形状を呈しているため、ナット８０を緩めるとボルト７０が図７（ａ）に示す白抜き矢印の方向に移動することができ、支持部材４１、４１間の距離が僅かながら伸縮する。支持部材４１、４１間の距離が縮めば、顎乗せ部４０の全体を覆っているカバー６０を支持部材４１の角に引っかかること無く、スムーズに被せることが可能である。また、カバー６０を掛けた後、カバー６０越しに支持部材４１を外側に引っ張ることにより、カバー６０が内側から引っ張られるため、弛みが無くなると共に支持部材４１からカバー６０が外れ難くすることができる。
【００１１】
また、図２に示したまくら台１０の裏面には、前記額乗せ部２０と、頬乗せ部３０と、顎乗せ部４０とを固定しているナット８０が露出している。このうち、頬乗せ部３０は、まくら台１０の裏面から突出したボルト７０のネジ先に、２本のアーム１１、１１を取り付けて、ナット８０の代わりに略円球状のキャップ１２を取り付ける。前記アーム１１、１１は、両端部に図示しないボルト孔が設けられてあって、片方のボルト孔にはまくら台１０から突き出た頬乗せ部３０を固定しているボルト７０のネジ先を嵌め込み、キャップ１２を取り付けている。もう片方のボルト孔には、ボルト７０がのみを嵌め込み、同様にキャップ１２を取り付けている。アーム１１、１１は、頬乗せ部３０のボルト７０を軸として、時計の針のように回動可能となっていることに加え、円球状のキャップ１２によってうつ伏せ用まくら１の上部が持ち上がり、使用者に向かって傾斜させることができるため、アーム１１、１１を回動させてキャップ１２の位置を自在に調節し、使用者の好みに応じてうつ伏せ用まくら１に角度を調節することができる。
【００１２】
次に、図４に示した本発明のうつ伏せ用まくら第二実施例について説明する。なお、以下に記載の上下左右とは、図４に示すとおりである。
第二実施例は、第一実施例と同じく、平板状のまくら台１０の上に略円柱形の額乗せ部２０を有している一方で、第一実施例の頬乗せ部３０と異なり、上下方向に延伸した略直方体形の頬乗せ体５０、５０が前記額乗せ部２０の下方に間を空けて並設されている。
頬乗せ体５０は、図８に示すように、略Ｌ字形の枠５１と、前記枠５１と同様の形状を有した調整具５２とを備えており、枠５１に調整具５２を取り付けて形成される略コの字形の枠体に緩衝材９０を嵌め込むことで構成される。枠５１と調整具５２には、図示しないボルト孔が設けられており、ボルト７０を介して第一実施例と同様にまくら台１０に設けられた図示しない固定用貫通孔と連接している。
調整具５２のボルト孔は略楕円形状であり、ナット８０を緩めることによって、図８（ｂ）に示す白抜き矢印の方向にボルト孔の大きさ分だけ移動させることができる。例えば、図８（ａ）のように調整具５２の位置を下方に動かすことで、緩衝材９０が取り外し易くなる。一方、図８（ｃ）のように調整具５２を上方に動かすことで、緩衝材９０が圧縮されて頬乗せ体５０の長さが短くなり、カバー６０を掛けやすくすることができる。また、緩衝材９０を圧縮した状態でナット８０を締めて固定することにより、緩衝材９０が硬く締まったまま固定されるため、自分の好みによって頬乗せ体５０の硬さを変えることもできる。
【００１３】
次に、本発明のうつ伏せ用まくら１の使用について説明する。
第一実施例のうつ伏せ用まくら１を使用する際は、アーム１１、１１を回動させてうつ伏せ用まくら１の角度を調節した後、図３に示すように使用者の額を額乗せ部２０へ、両頬を頬乗せ部３０へ、下顎を顎乗せ部４０へ乗せる。この時、使用者の鼻が２つ並設した頬乗せ部３０、３０の間隙に来るように頭部の位置を調節する。
第二実施例のうつ伏せ用まくら１を使用する際は、図５に示すように使用者の額を額乗せ部２０へ、両頬を頬乗せ体５０へ乗せる。この時、使用者の鼻は、頬乗せ体５０、５０の間隙に入るように、頭部の位置を調節する。
【００１４】
以上のように構成され、使用するうつ伏せ用まくら１であれば、うつ伏せの姿勢を取って横になる際も顔が寝具に押し付けられることが無いため、呼吸し易くなる。加えて、第一実施例、第二実施例共に、額を押さえる部材（額乗せ部２０）と両頬を押さえる部材（頬乗せ部３０、頬乗せ体５０）が適当な間隔を空けて配置されているため、使用者が眼鏡をかけてうつ伏せ用まくら１を使用しても眼鏡がこれらの部材に当たり難く、眼鏡をかけたままうつ伏せ用まくら１を使用することができる。
また、まくら台１０に固定されている各部材が適当な間隔を空けて配置されていることにより、部材間の隙間が空気の通り道となって使用者の吐息を外に逃がして、且つ、うつ伏せ用まくら１の外部から新鮮な空気を部材間に取り入れることができる。このため、うつ伏せ用まくら１を長時間使用したとしても、息苦しさを感じることなく快適に使用し続けることができる。
【００１５】
さらに、額乗せ部２０は使用者の前頭部を、頬乗せ部３０および頬乗せ体５０は使用者の頬、特に頬骨部から眼窩下部をそれぞれ圧迫しており、その箇所に存在するツボを緩衝材９０の程よい反発力で刺激することができる。緩衝材９０は、略円柱形の額乗せ部２０および頬乗せ部３０であればカバー６０を強めに引っ張ったり、略直方体形の頬乗せ体５０であれば調整具５２を図８に示す上方向に摺動させたりすることによって、内部で締固められるため、緩衝材９０の硬さをやや硬めに設定することも可能である。
第一実施例における額乗せ部２０は、まくら台１０に蝶番２５で固定されていることに加えて、間にクッション２４を挟入しており、使用者の前頭部特に眉間の周辺を額乗せ部２０へと置いた際に、額乗せ部２０に加えてクッション２４の反発力によって程よい圧迫感を眉間に感じることができる。また、額乗せ部２０は蝶番２５を軸に回動するため、クッション２４の反発力によって使用者の額から額乗せ部２０が外れることを防ぐことができる。
【００１６】
加えて、額乗せ部２０や頬乗せ部３０をまくら台１０に取り付ける図示しない固定用貫通孔は、複数個設けたり大きくしたりすることによって、額乗せ部２０や頬乗せ部３０の位置を変えることができ、各使用者に応じて位置を調節することも可能である。この時、まくら台１０とナット８０の間に座金８１を挟むことにより、固定用貫通孔は座金８１に隠蔽され、意匠性の良いまくらとなる。
【００１７】
第一実施例において、まくら台１０にアーム１１及びキャップ１２を備えることにより、寝具にうつ伏せ用まくら１を載置すると円球状であるャップ１２の直径分だけ持ち上がるため、図３の使用図のように使用者に向かって傾斜させ、うつ伏せの姿勢を楽にすることができる。また、顎乗せ部４０は、額、両頬の３点に加えて使用者の下顎部を支持することができ、睡眠時における頭部の安定感をより高めることが可能となる。加えて、顎乗せ部４０の緩衝材９０に下顎部が沈み込むことにより、顎の可動が制限されて口が開かなくなり、うつ伏せの姿勢であっても鼻呼吸をうながすことができる。
【００１８】
本発明のうつ伏せ用まくら１は、上記の実施形態例に限定されるものではなく、特許請求の範囲内で適宜変更できる。
【符号の説明】
【００１９】
１  うつ伏せ用まくら
１０  まくら台
２０  額乗せ部
２５  蝶番
３０  頬乗せ部
４０  顎乗せ部
５０  頬乗せ体
【要約】
【課題】
うつ伏せの姿勢であっても寝やすくなるうつ伏せ用のまくらを提供する。
【解決手段】
使用者の額と、両頬と、顎と、を押さえるまくらであって、額を押さえる額乗せ部と、頬を押さえる頬乗せ部と、顎を押さえる顎乗せ部とを備え、前記額乗せ部と、前記頬乗せ部と、は、略円柱形の外形を有しており、前記頬乗せ部は、前記額乗せ部の下方に２個、左右方向に並設してあって、前記顎乗せ部は、前記頬乗せ部の下方に位置し、左右方向に延伸した略直方体形の外形を有しており、前記額乗せ部と、前記頬乗せ部と、前記顎乗せ部と、が、平板状のまくら台の上面に載置されており、前記額乗せ部は、前記まくら台に蝶番で固定されていることを特徴とするうつ伏せ用まくら。
【選択図】図１【図１】
0006726373.tif 000002
【図２】
0006726373.tif 000003
【図３】
0006726373.tif 000004
【図４】
0006726373.tif 000005
【図５】
0006726373.tif 000006
【図６】
0006726373.tif 000007
【図７】
0006726373.tif 000008
【図８】
0006726373.tif 000009